(57)【特許請求の範囲】
【請求項１】
入力される映像信号の輪郭線補正装置において、
前記入力される映像信号に対する多段階のハールウェーブレット変換を行って前記入力される映像信号の輪郭線データを検出する輪郭線検出器と、
前記輪郭線検出器で検出された輪郭線データのうち補正しようとする位置の輪郭線データを正規化させて前記輪郭線の補正のための利得を検出する利得検出器と、
前記補正しようとする位置の輪郭線データ、前記輪郭線データと隣接した少なくとも一つのピクセル値及び前記利得を演算して、前記補正しようとする位置の輪郭線データに対する補正ピクセル値を検出するピクセル値検出器と、
前記補正ピクセル値に基づき輪郭線の形成された映像を生成する映像信号生成器とを含むことを特徴とする映像の輪郭線補正装置。
【請求項２】
前記輪郭線検出器は、前記映像信号のダウンサンプリングを行わずに、前記入力される映像信号に対してハールウェーブレット変換を行うように構成されたことを特徴とする請求項１に記載の映像の輪郭線補正装置。
【請求項３】
前記輪郭線検出器は、前記映像信号のダウンサンプリングを行わずに、前記入力される映像信号に対して３段階のハールウェーブレット変換を行うように構成されたことを特徴とする請求項１に記載の映像の輪郭線補正装置。
【請求項４】
前記輪郭線検出器は、
前記多段階のハールウェーブレット変換を通じて得られた変換係数に対する演算を行って、前記映像信号に対する水平係数を検出する水平係数検出部と、
前記多段階のハールウェーブレット変換を通じて得られた変換係数に対する演算を行って、前記映像信号に対する垂直係数を検出する垂直係数検出部と、
前記水平係数に前記垂直係数を加算して２次元係数を求め、前記２次元係数を輪郭線データとして出力する加算器とを含むことを特徴とする請求項１に記載の映像の輪郭線補正装置。
【請求項５】
前記水平係数検出部、前記垂直係数検出部及び前記加算器は、ピクセル単位に前記演算を行うことを特徴とする請求項４に記載の映像の輪郭線補正装置。
【請求項６】
前記輪郭線検出器は、
前記輪郭線データを非線形フィルタリングするフィルタと、
前記フィルタから出力される輪郭線データの輝度レベルが所定の範囲内に存在するように切り取るクリッピング部とをさらに含むことを特徴とする請求項４に記載の映像の輪郭線補正装置。
【請求項７】
前記利得検出器は、
前記輪郭線検出器から送られてくる輪郭線データのうち、補正しようとする位置と前記位置の輪郭線データを検出する補正位置及び輪郭線データ検出部と、
前記補正位置及び輪郭線データ検出部で検出された輪郭線データを１に正規化させ、正規化された値を前記利得として検出する利得検出部とを含むことを特徴とする請求項１に記載の映像の輪郭線補正装置。
【請求項８】
前記輪郭線に隣接したピクセルは、前記補正しようとするピクセルの左右に隣接したピクセルを含むことを特徴とする請求項１に記載の映像の輪郭線補正装置。
【請求項９】
前記ピクセル値検出器は、
前記補正しようとする位置の輪郭線データと前記隣接したピクセルとの平均値を検出する平均値検出器と、
前記平均値と前記補正しようとする位置の輪郭線データとの差分値を検出する差分値検出器と、
前記利得と前記差分値とを乗算して補正値を検出する補正値検出器と、
前記補正値に前記補正しようとする輪郭線データを加算し、その結果を前記補正ピクセル値として出力する補正ピクセル値検出器とを含むことを特徴とする請求項８に記載の映像の輪郭線補正装置。
【請求項１０】
前記ピクセル値検出器は、
前記補正しようとする位置の輪郭線データと前記隣接したピクセルとの平均値を検出する平均値検出器と、
前記平均値と前記補正しようとする位置の輪郭線データとの差分値を検出する差分値検出器と、
前記利得と前記差分値とを乗算して補正値を検出する補正値検出器と、
前記補正値に前記補正しようとする輪郭線データを加算し、その結果を前記補正ピクセル値として出力する補正ピクセル値検出器とを含むことを特徴とする請求項１に記載の映像の輪郭線補正装置。
【請求項１１】
入力される映像信号の輪郭線補正方法において、
前記入力される映像信号に対して多段階のハールウェーブレット変換を行って、前記入力される映像信号の輪郭線データを抽出する段階と、
前記抽出された輪郭線データのうち補正しようとする位置の輪郭線データに基づき前記輪郭線の補正のための利得を検出する段階と、
前記利得と、前記補正しようとする輪郭線データ及び前記補正しようとする輪郭線データに隣接した位置の少なくとも一つのピクセルを演算して、前記補正しようとする輪郭線データに対する補正ピクセル値を検出する段階と、
前記補正ピクセル値に基づき輪郭線の形成された映像を生成する段階とを含むことを特徴とする映像の輪郭線補正方法。
【請求項１２】
前記輪郭線データ抽出段階は、前記入力される映像信号に対してダウンサンプリングしないハールウェーブレット変換を前記多段階に亘って行うことを特徴とする請求項１１に記載の映像の輪郭線補正方法。
【請求項１３】
前記輪郭線データ抽出段階は、
前記多段階のハールウェーブレット変換を通じて得られた変換係数に基づき、前記映像信号に対する水平係数を検出する段階と、
前記多段階のハールウェーブレット変換を通じて得られた変換係数に基づき、前記映像信号に対する垂直係数を検出する段階と、
前記水平係数に垂直係数を加算して２次元係数を求め、求められた２次元係数を前記輪郭線データとして与える段階とを含むことを特徴とする請求項１１に記載の映像の輪郭線補正方法。
【請求項１４】
前記補正ピクセル値を検出する段階は、
前記補正しようとする輪郭線データと前記隣接したピクセルとの平均値を求める段階と、
前記平均値と前記補正しようとする輪郭線データとの差分値を検出する段階と、
前記利得と前記差分値とを乗算して補正値を検出する段階と、
前記補正値に前記補正しようとする輪郭線データを加算して前記補正ピクセル値を検出する段階とを含むことを特徴とする請求項１１に記載の映像の輪郭線補正方法。
【請求項１５】
前記利得検出段階は、前記補正しようとする輪郭線データを正規化させ、前記正規化された値を前記利得として検出することを特徴とする請求項１１に記載の映像の輪郭線補正方法。
【発明の詳細な説明】
【０００１】
【発明の属する技術分野】
本発明は映像の輪郭線向上装置及び方法に係り、特に、輪郭線の鮮明度を向上させるための装置及び方法に関する。
【０００２】
【従来の技術】
ディスプレーされる映像の画質は、ほとんど輪郭線の鮮明度によって左右される。従って、映像の輪郭線の鮮明度を向上させるための技術が開発されつつある。
図１は、既存の映像の輪郭線向上装置の一つである。図１を参照すれば、映像信号が１次微分器１０１に入力されると、１次微分器１０１は前記映像信号を微分して映像信号の輪郭線の強度及び方向を求め、２次微分器１０２で前記１次微分器１０１から出力される映像信号を微分して前記映像信号の輪郭線を抽出する。２次微分器１０２は、輪郭線の強度のみを求める。２次微分器１０２で抽出された映像の輪郭線は、閉曲線をなす。抽出された映像の輪郭線は乗算器１０３に送られる。乗算器１０３は、前もって設定された利得を入力される輪郭線に乗算して前記抽出された輪郭線の鮮明度を向上せしめる。乗算器１０３から出力された輪郭線データは、コーリング１０４に送られる。
【０００３】
コーリング１０４は、低い周波数帯域に存在するノイズの増幅を防ぐ。従って、コーリング１０４は、乗算器１０３から送られてくる輪郭線データと所定の値とを比較し、前記所定の値より低い周波数帯域の輪郭線データは、いずれも‘０’に変換する。このようにして変換された輪郭線データは、加算器１０５に送られる。
加算器１０５は、コーリング１０４から送られてきた輪郭線データに入力される映像信号を加算してクリッピング回路１０６に送る。クリッピング回路１０６は、加算器１０５から送られてくる映像信号の輝度レベルが０ないし２５５の範囲内に存在するように切り取る。切り取られた映像信号は輪郭線の向上された映像信号として出力される。
【０００４】
しかしながら、前記２次微分器１０２は、輝度が次第に変わる映像信号に敏感ではない。従って、図１の装置を使っては、輝度が次第に変わる領域に存在する輪郭線が検出し難い。さらに、図１の装置は、輪郭線の輝度レベルに関係なく、１次微分器１０１及び２次微分器１０２により抽出された輪郭線データに固定された利得を乗算する。このため、図１の装置を使って映像信号の輪郭線を向上させる時、映像の輪郭線でオーバーシュート及びアンダーシュートが起こる恐れがある。
【０００５】
【発明が解決しようとする課題】
本発明は前述した問題を解決するためのものであって、ハールウェーブレット（Haar Wavelet transform）変換技法及び隣接したピクセル間の差を利用して映像の輪郭線におけるオーバーシュート及びアンダーシュートの発生を低減させ、且つ、映像の輪郭線の鮮明度を向上させる装置及び方法を提供するところにその目的がある。
【０００６】
【課題を解決するための手段】
前記目的を達成するために、本発明に係る映像の輪郭線補正装置は、入力される映像信号の輪郭線補正装置において、前記入力される映像信号に対する多段階のハールウェーブレット変換を行って前記入力される映像信号の輪郭線データを検出する輪郭線検出器と、前記輪郭線検出器で検出された輪郭線データのうち補正しようとする位置の輪郭線データを正規化させて前記輪郭線の補正のための利得を検出する利得検出器と、前記補正しようとする位置の輪郭線データ、前記輪郭線データと隣接した少なくとも一つのピクセル値及び前記利得を演算して、前記補正しようとする位置の輪郭線データに対する補正ピクセル値を検出するピクセル値検出器と、前記補正ピクセル値に基づき輪郭線の形成された映像を生成する映像信号生成器とを含むことが望ましい。
【０００７】
前記輪郭線検出器は、前記映像信号のダウンサンプリングを行わずに、前記入力される映像信号に対してハールウェーブレット変換を行うように構成されることが望ましい。
前記輪郭線検出器は、前記多段階のハールウェーブレット変換を通じて得られた変換係数に対する演算を行って、前記映像信号に対する水平係数を検出する水平係数検出部と、前記多段階のハールウェーブレット変換を通じて得られた変換係数に対する演算を行って、前記映像信号に対する垂直係数を検出する垂直係数検出部と、前記水平係数に前記垂直係数を加算して２次元係数を求め、前記２次元係数を輪郭線データとして出力する加算器とを含むことが望ましい。
【０００８】
前記ピクセル値検出器は、補正しようとする位置の輪郭線データと前記隣接したピクセルとの平均値を検出する平均値検出器と、前記平均値と前記補正しようとする位置の輪郭線データとの平均値を検出する差分値検出器と、前記利得と前記差分値とを乗算して補正値を検出する補正値検出器と、前記補正値に前記補正しようとする輪郭線データを加算し、その結果を前記補正ピクセル値として出力する補正ピクセル値検出器とを含むことが望ましい。
【０００９】
前記目的を達成するために、本発明に係る映像の輪郭線向上方法は、前記入力される映像信号に対して多段階のハールウェーブレット変換を行って前記入力される映像信号の輪郭線データを抽出する段階と、前記抽出された輪郭線データのうち補正しようとする位置の輪郭線データに基づき前記輪郭線の補正のための利得を検出する段階と、前記利得と、前記補正しようとする輪郭線データ及び前記補正しようとする輪郭線データに隣接した位置の少なくとも一つのピクセルを演算して、前記補正しようとする輪郭線データに対する補正ピクセル値を検出する段階と、前記補正ピクセル値に基づき輪郭線の形成された映像を生成する段階とを含むことが望ましい。
【００１０】
【発明の実施の形態】
以下、添付した図面に基づき、本発明に係る実施形態を詳細に説明する。
図２は、本発明の望ましい実施形態による映像の輪郭線向上装置のブロック図である。図２の装置は、輪郭線検出器２００、利得検出器２１０、補正ピクセル値検出器２２０及び映像信号生成器２３０を含んでなる。
輪郭線検出器２００は、入力される映像信号（原映像信号）に対する多段階のハールウェーブレット変換を通じて得られた変換係数に基づき入力される映像信号の輪郭線を検出する。
【００１１】
このために、輪郭線検出器２００は、ハールウェーブレット変換部２０１、水平係数検出部２０２、垂直係数検出部２０３、加算器２０４、非線形フィルタ２０５及びクリッピング回路２０６を含んでなる。
ハールウェーブレット変換部２０１は、入力される映像信号に対してダウンサンプリングしない３段階のハールウェーブレット変換を図３のように行う。すなわち、ハールウェーブレット変換部２０１に映像信号が入力されれば、下記式１のように定義されているフィルタ特性を有するウェーブレットフィルタにより第１段階のダウンサンプリング抜きハールウェーブレット変換を行う。
【００１２】
【数１】
0003786910.tif 000002
前記式１において、h(k-n)及びg(k-n)は、ウェーブレットフィルタである。cj+1(k)は、入力される映像信号のピクセル値である。cj(k)は、cj+1(k)を前記h(k-n)フィルタ特性に応じてローパスフィルタリングしたデータであり、dj(k)は、cj+1(k)を前記g(k-n)フィルタ特性に応じてハイパスフィルタリングしたデータである。
【００１３】
前記式１のように、ウェーブレットフィルタにより入力される映像信号に対する第１段階のハールウェーブレット変換が行われれば、図３の第１段階に示されたように、サブバンド１、サブバンド２、サブバンド３及びサブバンド４に分解された映像が得られる。
サブバンド１は、垂直方向及び水平方向が低周波である映像データＬＬ１を有し、サブバンド２は、垂直方向には低周波であるものの、水平方向には高周波である映像データＬＨ１を有し、サブバンド３は、垂直方向には高周波であるものの、水平方向には低周波である映像データＨＬ１を有し、そして、サブバンド４は、垂直方向及び水平方向の両方ともに高周波である映像データＨＨを有する。サブバンド４は、本発明で使用していない。サブバンド１，２，３，４の映像データは、前記式１に基づき下記式２のように定義することができる。
【００１４】
【数２】
0003786910.tif 000003
ハールウェーブレット変換部２０１は、第１段階で得られたサブバンドのうちサブバンド１を使って第２段階のダウンサンプリング抜きハールウェーブレット変換を行う。これにより、ＬＬ２、ＬＨ２、ＨＬ２、ＨＨ２の４つに分割されたサブバンドが得られる。ＬＬ１に基づき４つの分割されたサブバンドを得る方式は、前記式１及び前記式２に定義された通りである。この時、サブバンドＨＨ２は本発明では使用していない。
【００１５】
次に、ハールウェーブレット変換部２０１は、第２段階で得られたサブバンドのうちサブバンドＬＬ２を使って第３段階のダウンサンプリング抜きハールウェーブレット変換を行う。これにより、ＬＬ３、ＬＨ３、ＨＬ３、ＨＨ３の４つに分割されたサブバンドが得られる。ＬＬ２に基づき４つに分割されたサブバンドを得る方法式もまた、前記式１及び前記式２に定義された通りである。サブバンドＨＨ３は、本発明では使用していない。
【００１６】
映像信号の輪郭線を検出するために、前述したハールウェーブレット変換を行う理由は、映像信号の隣接した２ピクセル間の差分値をもって映像信号の高周波成分を求めるためである。もし、２ピクセル間の差分値が大きければ、原映像で２ピクセル間の輝度差が大きい。これは、映像のエッジを補正するための利得が大きく設定されなければならないということを意味する。従って、２ピクセル間の輝度差を考慮して映像の輪郭線を補正するための利得を決定するために、ハールウェーブレット変換を行う。
【００１７】
ハールウェーブレット変換部２０１により３段階の変換過程を経て得られた各サブバンドの変換係数は、水平係数検出部２０２及び垂直係数検出部２０３に送られる。
水平係数検出部２０２は、第１段階のハールウェーブレット変換により得られたサブバンドＨＬ１内のピクセル単位の変換係数に第３段階のハールウェーブレット変換により得られたサブバンドＨＬ３内のピクセル単位の対応する変換係数を乗算する。そして、水平係数検出部２０２は、乗算の結果に第２段階のハールウェーブレット変換により得られたサブバンドＨＬ２内のピクセル単位の対応する変換係数を加算し、その結果を入力される映像信号の対応するピクセル位置の水平係数として出力する。
【００１８】
垂直係数検出部２０３は、第１段階のハールウェーブレット変換により得られたサブバンドＬＨ１内のピクセル単位の変換係数に、第３段階のハールウェーブレット変換により得られたサブバンドＬＨ３内のピクセル単位の対応する変換係数を乗算する。そして、垂直係数検出部２０３は、乗算の結果に第２段階のハールウェーブレット変換により得られたサブバンドＬＨ２内の対応するピクセル単位の変換係数を加算し、その結果を入力される映像信号の対応するピクセル位置の垂直係数として出力する。
【００１９】
加算器２０４は、水平係数検出部２０２から送られてくる水平係数と垂直係数検出部２０３から送られてくる垂直係数とを行列加算して得られた２次元係数を出力する。前記２次元係数は、入力される映像信号の輪郭線データである。この輪郭線データは、非線形フィルタ２０５に送られる。
非線形フィルタ２０５は、前記２次元係数の水平フィルタリング（Ｘ軸フィルタリング）及び垂直フィルタリング（Ｙ軸フィルタリング）を各々行い、その各々の結果を加算して映像の輪郭線に近い周波数帯域を有する信号を出力する。
【００２０】
クリッピング回路２０６は、非線形フィルタ２０５から送られてくる輪郭線データのグレーレベルが０ないし２５５レベルの範囲内に存在するように切り取る。クリッピング回路２０６は、周知のクリッピング回路と同一に構成される。クリッピング回路２０６から出力される映像信号は、前記ハールウェーブレット変換により検出された輪郭線データよりなるフレーム映像信号である。
利得検出器２１０は、輪郭線検出器２００で検出された輪郭線データに基づき輪郭線の補正のための利得を検出する。このために、利得検出器２１０は、補正位置及び輪郭線データ検出部２１１、利得検出部２１２を含んでなる。
【００２１】
補正位置及び輪郭線データ検出部２１１は、クリッピング回路２０６から送られてくる輪郭線データに基づき、補正しようとする位置を検出する。位置検出の方式は、既存の輪郭線補正方式による。位置が検出されれば、補正位置及び輪郭線データ検出部２１１は、クリッピング回路２０６から送られてくる輪郭線データのうちから検出された位置の輪郭線データを検出する。検出された輪郭線データは、利得検出部２１２に送られる。補正しようとする位置データは、補正ピクセル値検出部２２０に送られる。
【００２２】
利得検出部２１２は、入力された輪郭線データを１に正規化させる。そして、正規化された値を輪郭線の補正のための利得として検出する。これは、ピクセルの輝度に応じて補正のための利得を決定するためである。
補正ピクセル値検出部２２０は、補正位置及び輪郭線データ検出部２１１から補正位置データを受け取る。補正ピクセル値検出部２２０は、前記輪郭線の位置データに基づき、入力される映像信号で補正位置のピクセルと隣接したピクセル値を検出する。もし、隣接したピクセルが補正しようとする位置の左右に隣接したピクセルである場合、補正ピクセル値検出部２２０は、入力される映像信号で補正しようとする位置に左右に隣接したピクセルの値を検出する。そして、補正ピクセル値検出部２２０は、利得検出部２１２で検出された利得に基づき補正しようとする輪郭線データに対応する補正済みピクセル値を検出する。
【００２３】
このために、補正ピクセル値検出部２２０は、図４に示されたように、平均値検出器４０１、差分値検出器４０２、補正値検出器４０３及び補正ピクセル値検出器４０４を含んでなる。
平均値検出器４０１は、補正しようとする輪郭線データ（ｘ，ｙ）と輪郭線データの位置に隣接したピクセル値（ｘ−１，ｙ），（ｘ＋１，ｙ）の平均値ａｖｅ＝（ｘ，ｙ）＋（ｘ−１，ｙ）＋（ｘ＋１，ｙ）／３を求める。求められた平均値ａｖｅは、差分値検出器４０２に送られる。差分値検出器４０２は、輪郭線データ（ｘ，ｙ）と前記平均値ａｖｅとの平均値ｄｉｆｆを求める。
【００２４】
補正値検出器４０３は、利得検出部２１２で検出された利得に差分値検出器４０２で検出された差分値ｄｉｆｆを乗算する。従って、前記差分値ｄｉｆｆが大きい場合の輪郭線データの補正値は大きい。しかし、前記差分値ｄｉｆｆが小さい場合の輪郭線データの補正値は小さい。前記差分値ｄｉｆｆは、負の整数、正数及び０のうち何れか一つであることができる。
【００２５】
補正ピクセル値検出器４０４は、補正値検出器４０３で検出された補正値を補正しようとする位置の輪郭線データに加算した値を補正ピクセル値として出力する。前記補正値が正数である場合、該当する輪郭線データは一層高い輝度レベルを有する（一層明るい）ように前記補正ピクセル値が検出される。しかし、前記補正値が負の整数である場合、該当する輪郭線データは一層低い輝度レベルを有する（一層暗い）ように前記補正ピクセル値が検出される。
【００２６】
補正ピクセル値検出器４０４は、補正ピクセル値の出力を知らせる信号を補正位置及び輪郭線データ検出部２１１に出力し、補正ピクセル値は、映像信号生成器２３０に送られる。
補正位置及び輪郭線データ検出部２１１は、補正を希望する輪郭線データに対応する補正ピクセル値の出力通報信号が受信されれば、該当するフレームに存在する輪郭線に対する全てのデータの補正が完了したか否かをチェックする。チェックの結果、完了したならば、該当するフレームに対する輪郭線補正が完了した旨を映像信号生成器２３０に知らせつつ、該当するフレームに対する輪郭線補正処理を終える。しかし、該当するフレームに補正が必要な輪郭線データが存在すれば、該当する輪郭線データの位置を検出して、前述のように、輪郭線データに対応する補正ピクセル値を検出する。
【００２７】
映像信号生成器２３０は、補正位置及び輪郭線データ検出部２１１から、該当するフレームに対する輪郭線の補正が完了した旨を知らせる情報が受信されると、その間に補正ピクセル値検出部２２０から送られてきた補正ピクセル値に基づき輪郭線の形成された映像信号を生成する。この時、生成される映像信号は、本発明により輪郭線が向上した映像信号である。
【００２８】
図５は、本発明に係る映像の輪郭線向上方法のフローチャートである。
ステップ５０１において、前述したように、図２のハールウェーブレット変換部２０１により入力される原映像信号に対して３段階のハールウェーブレット変換を行う。３段階のハールウェーブレット変換により、図３に示されたようなサブバンドを得る。次に、ステップ５０２において、得られたサブバンドを使って前記原映像信号の垂直係数及び水平係数を各々求める。垂直係数及び水平係数は、前述した図２の水平係数検出部２０２及び垂直係数検出部２０３における方式により検出される。
【００２９】
ステップ５０３において、前記検出された垂直係数及び水平係数に対する行列加算を行って２次元係数を求める。求められた２次元係数は、入力される原映像の輪郭線データである。
ステップ５０４において、前記２次元係数を非線形フィルタリングする。これは、検出された輪郭線データをより正確に検出するためである。ステップ５０５において、非線形フィルタリングされた輪郭線データの輝度レベルが０ないし２５５レベルの範囲内に存在するようにクリッピングする。
【００３０】
ステップ５０６において、クリッピングされた輪郭データを有するフレーム映像信号で補正しようとする輪郭線の位置を検出する。輪郭線の位置が検出されれば、クリッピングされたフレーム映像信号で前記検出された位置に存在する輪郭線データを検出する。
ステップ５０７において、前記検出された輪郭線データを１に正規化させる。そして、正規化された値を補正しようとする輪郭線データの利得として検出する。ステップ５０８において、補正しようとする輪郭線データと補正しようとする輪郭線に隣接したピクセルとの平均値を求める。前記隣接したピクセルは、少なくとも一つのピクセルの値を含む。この実施の形態では、左右に隣接したピクセルを対して平均値ａｖｒを求める。従って、輪郭を補正しようとする輪郭線の位置が原映像信号の（ｘ，ｙ）である場合、前記隣接したピクセルは、原映像信号の（ｘ−１，ｙ）及び（ｘ＋１，ｙ）に位置したピクセルとなる。しかし、隣接したピクセルは、補正しようとする映像の輪郭線の上下ピクセルであっても良く、上下左右ピクセルであっても良い。
【００３１】
ステップ５０９において、前記補正しようとする輪郭線データと前記平均値ａｖｒとの平均値を求める。すなわち、前記輪郭線データから前記平均値を引いてその差分値を求める。この時、差分値は負の整数、正数、または０であることができる。もし、前記差分値が正数であれば、原映像信号における輪郭線データの輝度レベルは高まるように補正される。これに対し、前記差分値が負の整数であれば、原映像信号における輪郭線データの輝度レベルが低くなるように補正される。もし、前記差分値が０であれば、原映像信号における輪郭線データの輝度レベルはそのまま維持される。
【００３２】
ステップ５１０において、前記差分値に前記ステップ５０７で検出された利得を乗算し（すなわち、差分値×利得）、前記補正しようとする輪郭線データに対する補正値を求める。
ステップ５１１において、前記補正値に前記輪郭線データを加算して補正ピクセル値ｃｏｒｒｅｃｔｅｄ  ｐｉｘｅｌ（＝（ｘ，ｙ）＋補正値）を求める。前記補正ピクセル値は、改善された輝度を有するピクセル値である。
【００３３】
次に、ステップ５１２において、該当するフレームの輪郭線データに対する補正が終わったか否かをチェックする。チェックの結果、該当するフレーム映像に対する輪郭線の補正が終わったならば、ステップ５０６に戻ってまだ補正されていない輪郭線に対する補正を前述のような過程を通じて行う。
しかし、ステップ５１２におけるチェックの結果、該当するフレーム映像に対する輪郭線の補正が終わっていないならば、ステップ５１３において、補正ピクセル値として輪郭線の改善された映像信号を生成し、該当するフレームに対する輪郭線の補正を終える。前記生成された映像信号は、輝度が向上された映像である。
【００３４】
【発明の効果】
以上述べたように、本発明によれば、原映像信号に対する多段階のハールウェーブレット変換の結果に基づき原映像信号の輪郭線データを検出し、検出された輪郭線データに基づき補正のための利得を決定し、決定された利得及び原映像信号に存在する隣接したピクセルを使って、輪郭線の補正された映像信号を生成することにより、輪郭線上におけるオーバーシュート及びアンダーシュートの発生を低減させ、且つ、より解像度の高い映像を提供することができる。
【００３５】
本発明は前述した実施の形態に限定されることなく、本発明の思想内であれば、当業者による変形が可能であるということは言うまでもない。よって、本発明で権利を請求する範囲は、詳細な説明の範囲内に定まるのではなく、後述する請求範囲により定まるべきである。
【図面の簡単な説明】
【図１】  既存の映像の輪郭線向上装置のブロック図である。
【図２】  本発明に係る映像の輪郭線向上装置のブロック図である。
【図３】  図２に示されたハールウェーブレット変換部において映像信号に対して３段階のハールウェーブレット変換を行う過程を説明するものである。
【図４】  図２の補正ピクセル値検出部の詳細ブロック図である。
【図５】  本発明に係る映像の輪郭線向上方法のフローチャートである。
【符号の説明】
２００…輪郭線検出器
２１０…利得検出器
【図１】
0003786910.tif 000004
【図２】
0003786910.tif 000005
【図３】
0003786910.tif 000006
【図４】
0003786910.tif 000007
【図５】
0003786910.tif 000008